(57)【要約】【課題】  レンズユニットまたはアクセサリによって、アクセサリの適合性を判定可能なカメラシステム、レンズユニット、及びアクセサリを提供する。【解決手段】  レンズユニット１２は、ユニット制御部４０と、タグリーダ４３と、判定部４４と、送受信部４５とを備えている。このタグリーダ４３は、コンバージョンレンズ１３内のＩＣタグ５０からアクセサリ識別データを受信する。判定部４４は、このアクセサリ識別データと、アクセサリの適合性を示す参照テーブルとを照合して、レンズユニット１２とコンバージョンレンズ１３との適合性を判定する。ユニット制御部４０は、送受信部４５を制御することによって、この判定結果をカメラ本体１１に送信させる。カメラ本体１１は、送受信部３８と、本体制御部３０とを備えている。本体制御部３０は、送受信部３８によって受信された判定結果に基づいて各種処理を実行する。【選択図】        図２
2007003646.tif 000002
【特許請求の範囲】
【請求項１】
撮影レンズを有するレンズユニットと、このレンズユニットが着脱自在に装着されるカメラ本体とで構成され、前記レンズユニットまたは前記カメラ本体にアクセサリが装着可能なカメラシステムにおいて、
前記レンズユニットは、前記アクセサリからアクセサリ識別データを受信する第１の受信手段と、この第１の受信手段によって受信した識別データに基づいて、前記アクセサリが適合するか否かを判定する判定手段と、この判定結果を前記カメラ本体に送信する送信手段とを備え、
前記カメラ本体は、前記判定結果を受信する第２の受信手段と、前記判定結果に基づいて各種処理を実行する制御手段とを備えていることを特徴とするカメラシステム。
【請求項２】
前記第１の受信手段は、前記アクセサリ識別データを受信するとともに、前記カメラ本体から本体識別データを受信し、前記判定手段は、前記レンズユニット、前記カメラ本体、及び前記アクセサリの３つの適合性を判定することを特徴とする請求項１記載のカメラシステム。
【請求項３】
前記カメラ本体は、表示手段を備え、前記判定結果が不適合の場合、前記制御手段が前記表示手段を制御して、不適合を示す警告メッセージを表示することを特徴とする請求項１または請求項２記載のカメラシステム。
【請求項４】
前記アクセサリは、前記アクセサリ識別データが記憶された第１のＩＣタグを備えており、前記第１の受信手段は、前記第１のＩＣタグに記憶された前記アクセサリ識別データを読み取るタグリーダであることを特徴とする請求項１ないし請求項３のいずれか記載のカメラシステム。
【請求項５】
前記カメラ本体は、前記本体識別データが記憶された第２のＩＣタグを備えており、前記タグリーダは、前記第１及び前記第２のＩＣタグから前記アクセサリ識別データ及び前記本体識別データを読み取ることを特徴とする請求項４記載のカメラシステム。
【請求項６】
請求項１ないし請求項５のいずれか記載のカメラシステムに用いられ、前記第１の受信手段と、前記判定手段と、前記送信手段とを備えていることを特徴とするレンズユニット。
【請求項７】
前記撮影レンズによって結像された被写体像を撮像する撮像素子を備えていることを特徴とする請求項６記載のレンズユニット。
【請求項８】
撮影レンズを有するレンズユニットと、このレンズユニットが着脱自在に装着されるカメラ本体と、前記レンズユニットと前記カメラ本体との間に装着されるアクセサリとで構成されるカメラシステムにおいて、
前記アクセサリは、前記レンズユニットからユニット識別データを受信する第１の受信手段と、この第１の受信手段によって受信した前記識別データに基づいて、前記レンズユニットと適合するか否かを判定する判定手段と、この判定結果を前記カメラ本体に送信する送信手段とを備え、
前記カメラ本体は、前記判定結果を受信する第２の受信手段と、前記判定結果に基づいて各種処理を実行する制御手段とを備えていることを特徴とするカメラシステム。
【請求項９】
前記第１の受信手段は、前記ユニット識別データを受信するとともに、前記前記カメラ本体から本体識別データを受信し、前記判定手段は、前記レンズユニット、前記アクセサリ、及び前記カメラ本体の３つの適合性を判定することを特徴とする請求項８記載のカメラシステム。
【請求項１０】
前記カメラ本体は、表示手段を備え、前記判定結果が不適合の場合、前記制御手段が前記表示手段を制御して、不適合を示す警告メッセージを表示することを特徴とする請求項８または請求項９記載のカメラシステム。
【請求項１１】
前記レンズユニットは、前記ユニット識別データが記憶された第１のＩＣタグを備えており、前記第１の受信手段は、前記第１のＩＣタグに記憶された前記ユニット識別データを読み取るタグリーダであることを特徴とする請求項８ないし請求項１０のいずれか記載のカメラシステム。
【請求項１２】
前記カメラ本体は、前記本体識別データが記憶された第２のＩＣタグを備えており、前記タグリーダは、前記第１及び前記第２のＩＣタグから前記ユニット識別データ及び前記本体識別データを読み取ることを特徴とする請求項１１記載のカメラシステム。
【請求項１３】
前記レンズユニットは、前記撮影レンズによって結像された被写体像を撮像する撮像素子を備えていることを特徴とする請求項８ないし請求項１２のいずれか記載のカメラシステム。
【請求項１４】
請求項８ないし請求項１３のいずれか記載のカメラシステムに用いられ、前記第１の受信手段と、前記判定手段と、前記送信手段と、前記制御手段とを備えていることを特徴とするアクセサリ。
【発明の詳細な説明】
【技術分野】
【０００１】
本発明は、撮影レンズを有するレンズユニットと、このレンズユニットが着脱自在に装着されるカメラ本体とで構成され、アクセサリが装着可能なカメラシステムに関する。
【背景技術】
【０００２】
従来、撮影レンズを有するレンズユニットと、このレンズユニットが着脱自在に装着されるカメラ本体とで構成されるカメラシステムが一般に利用されている。このようなカメラシステムでは、カメラ本体またはレンズユニットに、ストロボユニットやコンバージョンレンズ等のアクセサリを装着することが可能であり、また、カメラ本体とレンズユニットとの間に、焦点距離や撮影距離を変更するリアコンバータ等のアクセサリを装着することも可能にされている。
【０００３】
しかし、コンバージョンレンズやリアコンバータ等のアクセサリを使用する場合、アクセサリを用いずに撮影する場合と開放絞り値や焦点距離等が変化する。このため、レンズユニットやカメラ本体に対応しないアクセサリが装着された時には、自動露出制御や自動焦点調節制御が適切に行われないという問題があった。
【０００４】
このような問題を解決するために、レンズユニットとカメラ本体との間に中間アクセサリが装着された時に、レンズユニット内のＣＰＵによって、中間アクセサリの有無及び種類を判別して、この識別データをカメラ本体に送信するカメラシステムが知られている（例えば、特許文献１及び特許文献２参照）。さらに、レンズユニットとカメラ本体との間にリアコンバータが装着可能なカメラシステムにおいて、このリアコンバータが、レンズユニットとカメラ本体との間の通信の中継端子を備え、レンズユニットの識別データをカメラ本体に送信する時に、リアコンバータの識別データをカメラ本体に送信するものが知られている（例えば、特許文献３参照）。さらに、カメラ本体内に判定部を備え、カメラ本体にアクセサリが装着された時に、アクセサリ識別データと本体識別データとを比較して、カメラ本体とアクセサリとの適合性を判定するカメラシステムが知られている（例えば、特許文献４参照）。
【特許文献１】特開平６−２７５１５号公報
【特許文献２】特開２００２−７２３２８号公報
【特許文献３】特開２００２−２５８３８０号公報
【特許文献４】特開２００３−２２８１１４号公報
【発明の開示】
【発明が解決しようとする課題】
【０００５】
しかしながら、上記特許文献１〜４に記載の発明では、アクセサリ及びレンズユニットを識別するための識別データがカメラ本体に送信され、カメラ本体内の判定部によって、アクセサリやレンズユニットの適合性を判定している。このため、カメラ本体が判定部を備えていない場合、適合性の判定を行うことができないという問題があり、レンズユニットまたはアクセサリによって適合性を判定可能なカメラシステムが望まれていた。
【０００６】
本発明は上記事情に鑑みてなされたものであり、レンズユニットまたはアクセサリによって、アクセサリの適合性を判定することが可能なカメラシステム、レンズユニット、及びアクセサリを提供することを目的とする。
【課題を解決するための手段】
【０００７】
上記課題を解決するために、本発明のカメラシステムは、撮影レンズを有するレンズユニットと、このレンズユニットが着脱自在に装着されるカメラ本体とで構成され、前記レンズユニットまたは前記カメラ本体にアクセサリが装着可能なカメラシステムであり、前記レンズユニットは、前記アクセサリからアクセサリ識別データを受信する第１の受信手段と、この第１の受信手段によって受信した識別データに基づいて、前記アクセサリが適合するか否かを判定する判定手段と、この判定結果を前記カメラ本体に送信する送信手段とを備え、前記カメラ本体は、前記判定結果を受信する第２の受信手段と、前記判定結果に基づいて各種処理を実行する制御手段とを備えていることを特徴とするものである。
【０００８】
また、前記第１の受信手段は、前記アクセサリ識別データを受信するとともに、前記カメラ本体から本体識別データを受信し、前記判定手段は、前記レンズユニット、前記カメラ本体、及び前記アクセサリの３つの適合性を判定することが好ましい。
【０００９】
さらに、前記カメラ本体は、表示手段を備え、前記判定結果が不適合の場合、前記制御手段が前記表示手段を制御して、不適合を示す警告メッセージを表示することが好ましい。
【００１０】
また、前記アクセサリは、前記アクセサリ識別データが記憶された第１のＩＣタグを備えており、前記第１の受信手段は、前記第１のＩＣタグに記憶された前記アクセサリ識別データを読み取るタグリーダであることが好ましい。さらに、前記カメラ本体は、前記本体識別データが記憶された第２のＩＣタグを備えており、前記タグリーダは、前記第１及び前記第２のＩＣタグから前記アクセサリ識別データ及び前記本体識別データを読み取ることが好ましい。
【００１１】
本発明のレンズユニットは、前述のカメラシステムに用いられ、前記第１の受信手段と、前記判定手段と、前記送信手段とを備えていることを特徴とするものである。また、前記撮影レンズによって結像された被写体像を撮像する撮像素子を備えていることが好ましい。
【００１２】
本発明のカメラシステムは、撮影レンズを有するレンズユニットと、このレンズユニットが着脱自在に装着されるカメラ本体と、前記レンズユニットと前記カメラ本体との間に装着されるアクセサリとで構成されるカメラシステムであり、前記アクセサリは、前記レンズユニットからユニット識別データを受信する第１の受信手段と、この第１の受信手段によって受信した前記識別データに基づいて、前記レンズユニットと適合するか否かを判定する判定手段と、この判定結果を前記カメラ本体に送信する送信手段とを備え、前記カメラ本体は、前記判定結果を受信する第２の受信手段と、前記判定結果に基づいて各種処理を実行する制御手段とを備えていることを特徴とするものである。
【００１３】
また、前記第１の受信手段は、前記ユニット識別データを受信するとともに、前記前記カメラ本体から本体識別データを受信し、前記判定手段は、前記レンズユニット、前記アクセサリ、及び前記カメラ本体の３つの適合性を判定することが好ましい。
【００１４】
さらに、前記カメラ本体は、表示手段を備え、前記判定結果が不適合の場合、前記制御手段が前記表示手段を制御して、不適合を示す警告メッセージを表示することが好ましい。
【００１５】
また、前記レンズユニットは、前記ユニット識別データが記憶された第１のＩＣタグを備えており、前記第１の受信手段は、前記第１のＩＣタグに記憶された前記ユニット識別データを読み取るタグリーダであることが好ましい。さらに、前記カメラ本体は、前記本体識別データが記憶された第２のＩＣタグを備えており、前記タグリーダは、前記第１及び前記第２のＩＣタグから前記ユニット識別データ及び前記本体識別データを読み取ることが好ましい。
【００１６】
また、前記レンズユニットは、前記撮影レンズによって結像された被写体像を撮像する撮像素子を備えていることが好ましい。
【００１７】
本発明のアクセサリは、前述のカメラシステムに用いられ、前記第１の受信手段と、前記判定手段と、前記送信手段と、前記制御手段とを備えていることを特徴とするものである。
【発明の効果】
【００１８】
本発明のカメラシステムによれば、アクセサリの適合性を判定する判定手段が、レンズユニット内に設けられているので、カメラ本体内に判定手段が設けられていない場合でも、レンズユニットとアクセサリとの適合性を判定し、カメラ本体の制御手段が、判定結果に基づいて各種処理を実行することができる。このため、適合性のないアクセサリが装着された時、撮影者に警告を行ったり、撮影機能を制限したりすることが可能である。
【００１９】
また、カメラ本体から本体識別データを受信して、アクセサリ、レンズユニット、及びアクセサリの３つの適合性を判定するため、レンズユニットとアクセサリとの適合性だけでなく、アクセサリとカメラ本体との適合性も判断することができる。
【００２０】
さらに、判定結果が不適合の場合、警告メッセージが表示されるので、適合性のないアクセサリが装着されたことを撮影者に通知して、適合性のアクセサリが装着された状態で撮影が行われることを防止できる。
【００２１】
また、ＩＣタグ及びタグリーダを用いて、アクセサリ識別データ及び本体識別データの送受信を行うので、その他の送受信装置を使用する場合と比べて、製造コストを低くすることができる。また、アクセサリがカメラ本体に取り付けている場合でも、レンズユニット内のタグリーダによって、本体識別データを直接受信することができる。
【００２２】
さらに、レンズユニットとカメラ本体との間に装着されたアクセサリ内に、判定手段を設けることによって、カメラ本体内に判定手段がない場合でも、レンズユニットとアクセサリとの適合性を判定し、カメラ本体の制御手段が、判定結果に基づいて各種処理を実行することができる。このため、適合性のないアクセサリが装着された時、撮影者に警告を行ったり、撮影機能を制限したりすることが可能である。
【発明を実施するための最良の形態】
【００２３】
第１の実施形態であるカメラシステム１０は、図１に示すように、カメラ本体１１と、レンズユニット１２とを備えて構成されており、レンズユニット１２は、カメラ本体１１に着脱自在に装着される。また、このレンズユニット１２の前面には、アクセサリであるコンバージョンレンズ１３が着脱自在に装着可能である。
【００２４】
レンズユニット１２の前面には、撮影レンズ１４が露呈されており、背面にはマウント部１５が設けられている。このマウント部１５は、接点１６ａを有するバヨネット爪１６を備えている。また、このレンズユニット１２内には、撮影レンズ１４によって結像された被写体像を撮像する撮像素子であるＣＣＤ１７が設けられている。
【００２５】
カメラ本体１１の前面には、マウント部１８が設けられており、このマウント部１８には、バヨネット溝１９が形成されている。前述のレンズユニット１２をカメラ本体１１に装着する場合、バヨネット爪１６をバヨネット溝１９に位置合わせして押し込み、時計回りに回転させることによって、レンズユニット１２がカメラ本体１１に固定される。なお、レンズユニット１２は、交換式のレンズユニットであり、このレンズユニット１２としては、撮影レンズ１４の焦点距離が異なるものや、ＣＣＤ１７の画素数が異なるもの、モノクロ撮影が可能なもの、赤外線撮影が可能なもの等の複数種類のレンズユニットが用意される。
【００２６】
また、マウント部１８には、ロックピン２０が設けられており、レンズユニット１２がカメラ本体１１に装着された時に、このロックピン２０が、マウント部１５に形成されたピン孔（図示せず）と係合して、レンズユニット１２の回転がロックされる。このため、レンズユニット１２がカメラ本体１１から脱落することが防止される。さらに、マウント部１８には、前方にバネ付勢されたマウント蓋２１が設けられており、レンズユニット１２が装着されていない時に、カメラ本体１１内に塵埃が侵入することを防止できる。
【００２７】
また、マウント部１８の近傍には、ロック解除ボタン２２が設けられている。レンズユニット１２がカメラ本体１１に装着されている時に、このロック解除ボタン２２が押圧操作されると、この操作に連動してロックピン２０が後方に移動し、ロックピン２０とピン孔との係合が解除される。このため、ロック解除ボタン２２を押圧しながら、レンズユニット１２を回転させることによって、レンズユニット１２をカメラ本体１１から取り外すことができる。
【００２８】
さらに、マウント部１８の近傍には、ストロボ発光部２４が設けられている。また、カメラ本体１１の上面には、撮影時に押圧操作されるレリーズボタン２５と、撮影モードと再生モードとを切り替える時に回転操作される切り替えダイヤル２６とが設けられている。また、背面には、後述するＬＣＤ３３と、電源スイッチ（図示せず）とが設けられている。
【００２９】
また、コンバージョンレンズ１３には、後述するように、固有のアクセサリ識別データが記憶されたＩＣタグ５０（図２参照）が組み込まれており、このＩＣタグ５０を構成するコイル３０が背面に配置されている。また、レンズユニット１２には、後述するように、ＩＣタグ５０に記憶されたアクセサリ識別データを読み取るタグリーダ４４（図２参照）が組み込まれており、このタグリーダ４４を構成するコイル３１が前面に配置されている。
【００３０】
なお、このコンバージョンレンズ１３としては、例えば、広角用のワイドコンバージョンレンズや、望遠用のテレコンバージョンレンズや、接写用のマクロ(クローズアップ)レンズ等である。
【００３１】
次に、上記構成のカメラシステム１０の電気的構成について説明する。図２に示すように、カメラ本体１１は、カメラ本体１１内の各部を制御する本体制御部３０と、内蔵メモリ３１と、画像処理部３２と、表示手段であるＬＣＤ３３と、電源制御部３４と、電池３５と、接点３６と、メディアコントローラ３７と、送受信部３８とを備えている。
【００３２】
内蔵メモリ３１は、カメラ本体１１内の各部及びレンズユニット１２を制御するための制御プログラムが記憶されたＲＯＭと、作業用データを一時的に記憶するＲＡＭとを備えている。本体制御部３０は、この制御プログラムに基づいて各部を制御する。
【００３３】
画像処理部３２は、レンズユニット１２から取得した画像データに対して、各種画像処理を施す。ＬＣＤ３３は、記録画像や各種設定画面等を表示するとともに、スルー画の表示も行う。また、電源制御部３４は、電池３５と接続されており、電池３５の出力電圧を所定の電圧に変圧して、カメラ本体１１内の各部に給電を行うとともに、接点３６，１６ａを介して、レンズユニット１２に対して給電を行う。
【００３４】
接点３６は、マウント部１８に配置されており、レンズユニット１２がマウント部１８に装着された時に、レンズユニット１２の接点１６ａと接続される。メディアコントローラ３７は、カメラ本体１１に着脱自在に装填されるメモリカード３９に対する読み書きを行う。また、送受信部３８は、シリアルドライバであり、本体制御部３０によって制御され、パラレル信号をシリアル信号に変換してレンズユニット１２との間でデータの送受信を行う。
【００３５】
次に、レンズユニット１２の電気的構成を説明する。レンズユニット１２は、ユニット１２内の各部を制御するユニット制御部４０と、ＣＣＤ１７と、データ処理部４１と、接点１６ａと、メモリ４２と、タグリーダ４３と、判定部４４と、送受信部４５とを備えて構成されている。
【００３６】
ユニット制御部４０は、ユニット１２内の各部を制御して各種処理を実行させる。ＣＣＤ１７は、撮影レンズ１４によって結像された被写体像を光電変換によって撮像する。また、データ処理部４１は、ＣＣＤ１７によって取得された画像データに対して、ノイズの除去、増幅、Ａ／Ｄ変換等の処理を施す。また、メモリ４２には、ユニット１２内の各部を制御するための制御ブログラムが記憶されている。ユニット制御部４０は、この制御プログラムに基づいて各部を制御する。なお、ユニット制御部４０は、送受信部４５及び接点１６ａ，３６を介して、本体制御部３０と接続されており、本体制御部３０によって制御される。
【００３７】
タグリーダ４３は、コンバージョンレンズ１３内のＩＣタグ５０から送信されるアクセサリ識別データを読み取る受信手段である。このタグリーダ４３は、前述したように、コイル３１を備えている。このコイル３１は、ＩＣタグ５０に起電力を発生させるための電磁コイル３１ａと、ＩＣタグ５０のコイル３０から無線で出力されるアクセサリ識別データを受信する受信コイル３１ｂとで構成されており、これらのコイル３１ａ，３１ｂは、撮影レンズ１４よりも外周で、レンズユニット１２の円筒形状に沿って配線されている。
【００３８】
また、判定部４４には、複数種類のアクセサリとの適合性を示す参照テーブルが記憶されており、グリーダ４３によって取得されたアクセサリ識別データと参照テーブルとを照合することによって、レンズユニット１２との適合性を判定する。この判定は、例えば、コンバージョンレンズ１３が取り付けられた時に、焦点調節制御が行えない場合は、「不適合」と判定する。
【００３９】
送受信部４５は、ユニット制御部４０によって制御されて、カメラ本体１１との間でデータの送受信を行う。判定部４４によってレンズユニット１２とアクセサリとの適合性が判定された後、送受信部４５によって判定結果を示すデータがカメラ本体１１に送信される。
【００４０】
次に、コンバージョンレンズ１３の電気的構成について説明する。コンバージョンレンズ１３は、前述したように、ＩＣタグ５０を備えている。このＩＣタグ５０は、コンバージョンレンズ１３の固有のアクセサリ識別データが記憶された記憶部５１と、この記憶部５１に記憶されたアクセサリ識別データを無線で外部に出力するコイル３０と、記憶部５１に記憶されたアクセサリ識別データを取得し、コイル３０を制御してアクセサリ識別データを外部に送信させる制御部５２とを備えている。また、記憶部５１、コイル３０、及び制御部５２は、レンズよりも外周に配置され、コイル３０は、コンバージョンレンズ１３の円筒形状に沿って配線されている。また、ＩＣタグ５０としては、このような構成のものに限らず、例えば、０．４ｍｍ各サイズにアンテナも内蔵した日立製作所製のミューチップ（登録商標）を用いても良い。
【００４１】
コンバージョンレンズ１３をレンズユニット１２に取り付ける際に、コンバージョンレンズ１３がレンズユニット１２の前面に近付けられた時に、電磁コイル３１ａから電波が出力され、電磁誘導によってコイル３０に起電力が発生する。ＩＣタグ５０は、この起電力により動作し、コイル３０からアクセサリ識別データが無線で出力される。タグリーダ４３は、受信コイル３１ｂによって、このアクセサリ識別データを受信する。
【００４２】
次に、図３のフローチャートを用いて、カメラシステム１０の作用を説明する。レンズユニット１２がカメラ本体１１に装着された時に、ユニット制御部４０は、アクセサリであるコンバージョンレンズ１３が装着されているか否かを判定する。この判定は、タグリーダ４３によってアクセサリ識別データが受信されているか否かに基づいて行われる。
【００４３】
コンバージョンレンズ１３が装着されていないと判定された場合、ユニット制御部４０は、送受信部４５を制御して、「アクセサリ未装着」を示すデータを接点１６ａ，３６を介して、カメラ本体１１に送信させる。その後、本体制御部３０は、送受信部３８を介して、このデータを受信して通常の制御を行う。
【００４４】
コンバージョンレンズ１３が装着されていると判定された場合、判定部４４が、受信されたアクセサリ識別データに基づいて、コンバージョンレンズ１３の適合性を判定する。適合性がないと判定された場合、ユニット制御部４０は、送受信部４５を制御して、「不適合」を示すデータをカメラ本体１１に送信させる。
【００４５】
本体制御部３０は、送受信部３８を介して「不適合」を示すデータを受信すると、ＬＣＤ３３を制御して、レンズユニット１２とコンバージョンレンズ１３とが「不適合」であることを示す警告メッセージを表示させる。また、警告メッセージを表示せずに、撮影機能が制限されることを示すメッセージを表示しても良い。
【００４６】
また、適合性があると判定された場合、ユニット制御部４０は、送受信部４５を制御して、「適合」を示すデータをカメラ本体１１に送信させる。その後、本体制御部３０が、送受信部３８を介して、「適合」を示すデータを受信すると、撮影機能を制限せずに通常の制御を行う。
【００４７】
なお、第１の実施形態において、アクセサリとしてコンバージョンレンズ１３を用いる場合を例に説明したが、これに限るものではなく、例えば、アクセサリとしてストロボユニットを用いても良いし、このストロボユニットは、レンズユニット１２に取り付けられるタイプのものでも良いし、カメラ本体１１に取り付けられるタイプのものでも良い。
【００４８】
上記第１の実施形態では、レンズユニット１２内に設けられた判定部４４によって、アクセサリとレンズユニット１２との２つの適合性を判定する場合について説明した。第２の実施形態では、アクセサリとレンズユニット１２とカメラ本体１１の３つの適合性を判定する。
【００４９】
図４に示すカメラシステム６０は、カメラ本体６１と、レンズユニット６２とを備えて構成されており、カメラシステム１０と同様に、レンズユニット６２がカメラ本体６１に着脱自在に装着される。また、レンズユニット６２の外周面には、アクセサリであるストロボユニット６３が着脱自在に装着される。
【００５０】
カメラ本体６１は、ＩＣタグ６５を備えている。このＩＣタグ６５は、カメラ本体６１の固有の識別データである本体識別データが記憶されている。なお、このＩＣタグ６５は、ＩＣタグ５０と同様の構成であり、詳しい説明を省略する。また、カメラ本体６１は、その他の構成がカメラ本体１１と同様であり、同一の符号を付して詳しい説明を省略する。
【００５１】
また、レンズユニット６２は、レンズユニット１２と異なり、判定部４４の代わりに判定部６６を備えている。また、その他の構成は、レンズユニット１２と同様であり、同一の符号を付して詳しい説明を省略する。
【００５２】
ストロボユニット６３は、ストロボ装置６７と、ＩＣタグ６８とを備えている。このＩＣタグ６８は、ストロボユニット６３の固有の識別データであるアクセサリ識別データが記憶されている。
【００５３】
レンズユニット６２内に設けられたタグリーダ４３は、ＩＣタグ６５から本体識別データを受信するとともに、ＩＣタグ６８からアクセサリ識別データを受信する。判定部６６は、アクセサリ及びカメラ本体との適合性を示す参照テーブルが記憶されており、本体識別データ及びアクセサリ識別データと、参照テーブルとを照合することによって、カメラ本体６１と、レンズユニット６２と、ストロボユニット６３との３つの適合性を判定する。
【００５４】
次に、図５のフローチャートを用いて、カメラシステム６０の作用を説明する。レンズユニット６２がカメラ本体６１に装着された時に、ユニット制御部４０は、ストロボユニット６３が装着されているか否かを判定する。この判定は、タグリーダ４３によってアクセサリ識別データが受信されているか否かに基づいて行われる。
【００５５】
ストロボユニット６３が装着されていないと判定された場合、ユニット制御部４０は、送受信部４５を制御して、「アクセサリ未装着」を示すデータを接点１６ａ，３６を介してカメラ本体６１に送信させる。その後、本体制御部３０は、送受信部３８を介して、このデータを受信して通常の制御を行う。
【００５６】
ストロボユニット６３が装着されていると判定された場合、判定部６６は、受信されたアクセサリ識別データに基づいて、ストロボユニット６３がレンズユニット６２に適合するか否かを判定する。
【００５７】
レンズユニット６２に適合しないと判定された場合、ユニット制御部４０は、送受信部４５を制御して、「不適合」を示すデータをカメラ本体６１に送信させる。本体制御部３０は、送受信部３８を介して「不適合」を示すデータを受信すると、ＬＣＤ３３を制御して、レンズユニット６２とストロボユニット６３とが「不適合」であることを示す警告メッセージを表示させる。
【００５８】
また、警告メッセージを表示せずに、撮影機能が制限されることを示すメッセージを表示しても良い。例えば、レンズユニット６２内のズームレンズが繰り出し位置に移動されるとケラレが発生するために、ストロボユニット６３を「不適合」と判定する場合でも、ズームレンズの繰り出し動作を制限した状態で撮影可能にしても良い。また、レンズユニット６２とストロボユニット６３との組み合わせで赤目が発生しやすいために、ストロボユニット６３を「不適合」と判定する場合でも、自動でプリ発光するように制御して撮影できるようにしても良い。この場合、送受信部４５によって、不適合を示すデータとともに、ストロボユニット６３に対応する制御情報をカメラ本体６１に送信すれば良い。
【００５９】
レンズユニット６２に適合すると判定された場合、判定部６６は、受信された本体識別データと、レンズユニット識別データとに基づいて、ストロボユニット６３がカメラ本体６１に適合するか否かを判定する。
【００６０】
カメラ本体６１に適合しないと判定された場合、「不適合」を示すデータをカメラ本体６１に送信させる。本体制御部３０は、「不適合」を示すデータを受信すると、ＬＣＤ３３を制御して、カメラ本体６１とストロボユニット６３とが「不適合」であることを示す警告メッセージを表示させる。また、警告メッセージを表示せずに、撮影機能が制限されることを示すメッセージを表示しても良い。
【００６１】
また、カメラ本体６１に適合すると判定された場合、ユニット制御部４０は、送受信部４５を制御して、「適合」を示すデータをカメラ本体６１に送信させる。その後、本体制御部３０が、「適合」を示すデータを受信すると、撮影機能を制限せずに通常制御を行う。
【００６２】
上記第１及び第２の実施形態において、レンズユニットに装着するアクセサリを例に説明したが、これに限るものではなく、カメラ本体に装着するアクセサリでも良い。また、アクセサリとして、コンバージョンレンズ１３及びストロボユニット６３を用いる場合を例に説明したが、アクセサリとして、電動雲台や、外付けモニタ等を用いても良い。
【００６３】
また、レンズユニットとカメラ本体との間に着脱自在に装着されるアクセサリでも良い。以下に、レンズユニットとカメラ本体との間にアクセサリを着脱自在に装着して、このアクセサリ内の判定部によって適合性を判定する場合について説明する。
【００６４】
第３の実施形態であるカメラシステム７０は、図６に示すように、カメラ本体７１と、レンズユニット７２とを備え、これらの間にアクセサリである手ぶれ補正ユニット７３が着脱自在に装着される。
【００６５】
カメラ本体７１は、カメラ本体１１と同様の構成であり、詳しい説明を省略する。また、レンズユニット７２は、レンズユニット１２とは異なり、判定部４４が設けられていない。さらに、レンズユニット７２には、ＩＣタグ７５が設けられている。このＩＣタグ７５は、レンズユニット７２の固有の識別データであるレンズユニット識別データが記憶されている。なお、ＩＣタグ７５は、ＩＣタグ５０と同様の構成であり、詳しい説明を省略する。
【００６６】
手ぶれ補正ユニット７３は、ユニット７３内の各部を制御するアクセサリ制御部７６と、メモリ７７と、手ぶれ補正回路７８と、タグリーダ７９と、判定部８０と、接点８１，８２と、送受信部８３，８４とを備えて構成されている。
【００６７】
メモリ７７には、ユニット７３内の各部を制御するための制御プログラムが記憶されている。アクセサリ制御部７６は、メモリ７７に記憶された制御プログラムに基づいて各部を制御する。
【００６８】
手ぶれ補正回路７８は、レンズユニット７２から受信した画像データに対して、手ぶれ補正を行う。また、タグリーダ７９は、レンズユニット７２内のＩＣタグ７５からレンズユニット識別データを受信する受信手段である。
【００６９】
また、判定部８０は、複数種類のレンズユニットとの適合性を示す参照テーブルが記憶されており、タグリーダ７９によって受信されたレンズユニット識別データと、この参照テーブルとを照合することによって、レンズユニット７２と手ぶれ補正ユニット７３との適合性を判定する。
【００７０】
接点８１は、レンズユニット７２が手ぶれ補正ユニット７３に装着された時に、接点１６ａと接触する。また、接点８２は、手ぶれ補正ユニット７３がカメラ本体７１に装着された時に、接点３６と接続される。
【００７１】
また、送受信部８３は、アクセサリ制御部７６によって制御され、レンズユニット７２と手ぶれ補正ユニット７３との間でデータの送受信を行う。送受信部８４も同様にアクセサリ制御部７６によって制御され、手ぶれユニット７３とカメラ本体７１との間でデータの送受信を行う。
【００７２】
次に、図７のフローチャートを用いて、カメラシステム７０の作用を説明する。手ぶれ補正ユニット７３がカメラ本体７１に装着された時に、アクセサリ制御部７６は、レンズユニット７２が装着されているか否かを判定する。この判定は、タグリーダ７９によってレンズユニット識別データが受信されているか否かに基づいて行われる。
【００７３】
レンズユニット７２が装着されていないと判定された場合、アクセサリ制御部７６は、送受信部８４を制御して、接点８２，３６を介して、「レンズユニット未装着」を示すデータをカメラ本体１１に送信させる。その後、本体制御部３０は、送受信部８４を介して、このデータを受信すると、ＬＣＤ３３を制御して、レンズユニットの装着を促す警告メッセージを表示させる。
【００７４】
レンズユニット７２が装着されていると判定された場合、判定部８０は、タグリーダ７９によって受信されたレンズユニット識別データに基づいて、レンズユニット７２と手ぶれ補正ユニット７３との適合性を判定する。
【００７５】
レンズユニット７２と手ぶれ補正ユニット７３に適合性がないと判定された場合、アクセサリ制御部７６は、送受信部８４を制御して、「不適合」を示すデータをカメラ本体７１に送信させる。本体制御部３０は、送受信部３８を介して「不適合」を示すデータを受信すると、ＬＣＤ３３を制御して、レンズユニット７２と手ぶれ補正ユニット７３とが「不適合」であることを示す警告メッセージを表示させる。また、警告メッセージを表示せずに、撮影機能が制限されることを示すメッセージを表示しても良い。
【００７６】
また、レンズユニット７２と手ぶれ補正ユニット７３に適合性があると判定された場合、アクセサリ制御部７６は、送受信部８４を制御して、「適合」を示すデータをカメラ本体７１に送信させる。その後、本体制御部３０が、送受信部３８を介して、「適合」を示すデータを受信すると、撮影機能を制限せずに通常の制御を行う。
【００７７】
なお、上記第３の実施形態では、アクセサリ内の判定部が、レンズユニットとアクセサリとの適合性を判定する場合を例に説明したが、第４の実施形態では、アクセサリ内の判定部が、レンズユニットと、アクセサリと、カメラ本体との３つの適合性を判定する。
【００７８】
第４の実施形態であるカメラシステム９０は、図８に示すように、カメラ本体９１と、レンズユニット９２とを備え、これらの間にアクセサリである手ぶれ補正ユニット９３が着脱自在に装着される。
【００７９】
カメラ本体９１は、カメラ本体９１と同様の構成であり、同じ部品に同一の符号を付して詳しい説明を省略する。また、レンズユニット９２は、レンズユニット９２と同様の構成であり、同じ部品に同一の符号を付して詳しい説明を省略する。
【００８０】
手ぶれ補正ユニット９３は、手ぶれ補正ユニット７３とは異なり、判定部８０の代わりに判定部９５を備えている。この判定部９５には、レンズユニット及びカメラ本体との適合性を示す参照テーブルが記憶されており、タグリーダ７９によってレンズユニット識別データ及び本体識別データが受信されると、この参照テーブルを参照して、レンズユニット９２、手ぶれ補正ユニット９３、及びカメラ本体９１の３つの適合性を判定する。なお、その他の構成は、前述の手ぶれ補正ユニット７３の構成と同様であり、同じ部品には同一の符号を付して詳しい説明を省略する。
【００８１】
次に、図９のフローチャートを用いて、カメラシステム９０の作用を説明する。手ぶれ補正ユニット９３がカメラ本体９１に装着された時に、アクセサリ制御部７６は、レンズユニット９２が装着されているか否かを判定する。この判定は、タグリーダ７９によってレンズユニット識別データが受信されているか否かに基づいて行われる。
【００８２】
レンズユニット９２が装着されていないと判定された場合、アクセサリ制御部７６は、送受信部８４を制御して、接点８２，３６を介して、「レンズユニット未装着」を示すデータをカメラ本体９１に送信させる。その後、本体制御部３０は、送受信部８４を介して、このデータを受信すると、ＬＣＤ３３を制御して、レンズユニットの装着を促す警告メッセージを表示させる。
【００８３】
レンズユニット９２が装着されていると判定された場合、判定部９５は、タグリーダ７９によって受信されたレンズユニット識別データと、参照デーブルとを照合することによって、レンズユニット９２と手ぶれ補正ユニット９３との適合性を判定する。
【００８４】
レンズユニット９２と手ぶれ補正ユニット９３とが適合しないと判定された場合、アクセサリ制御部７６は、送受信部８４を制御して、「不適合」を示すデータをカメラ本体９１に送信させる。本体制御部３０は、送受信部３８を介して「不適合」を示すデータを受信すると、ＬＣＤ３３を制御して、レンズユニット９２と手ぶれ補正ユニット９３とが「不適合」であることを示す警告メッセージを表示させる。また、警告メッセージを表示せずに、撮影機能が制限されることを示すメッセージを表示しても良い。
【００８５】
また、レンズユニット９２と手ぶれ補正ユニット９３とが適合すると判定された場合、判定部９５は、タグリーダ７９によって受信された本体識別データと、参照テーブルとを照合することによって、カメラ本体９１と手ぶれ補正ユニット９３とが適合するか否かを判定する。
【００８６】
カメラ本体９１に適合しないと判定された場合、アクセサリ制御部７６は、「不適合」を示すデータをカメラ本体９１に送信させる。本体制御部３０は、「不適合」を示すデータを受信すると、ＬＣＤ３３を制御して、カメラ本体９１と手ぶれ補正ユニット９３とが「不適合」であることを示す警告メッセージを表示させる。また、警告メッセージを表示せずに、撮影機能が制限されることを示すメッセージを表示しても良い。
【００８７】
また、カメラ本体９１に適合すると判定された場合、アクセサリ制御部７６は、「適合」を示すデータをカメラ本体９１に送信させる。その後、本体制御部３０が、「適合」を示すデータを受信すると、レンズユニット９２及び手ぶれ補正ユニット９３に対応する制御を行う。
【００８８】
なお、上記第３及び第４の実施形態において、アクセサリとして手ぶれ補正ユニットを例に説明したが、これに限るものではなく、アクセサリとして、例えば、ＨＤＤユニットや、ステレオユニット等を用いても良い。また、レンズユニットがＣＣＤを備えていない場合は、アクセサリとして、コンバージョンレンズ等の光学アタッチメントでも良い。
【００８９】
また、上記実施形態において、ＩＣタグ及びタグリーダを用いて、レンズユニット識別データ、本体識別データ、及びアクセサリ識別データの送受信を行う場合を例に説明したが、これに限るものではなく、例えば、それぞれの接点を介して有線で識別データの送受信を行っても良い。
【００９０】
さらに、上記実施形態において、撮像素子としてＣＣＤを用いる場合を例に説明したが、これに限るものではなく、例えば、ＣＭＯＳイメージセンサを用いても良い。
【００９１】
また、上記実施形態において、撮像素子を備えたレンズユニットを例に説明したが、撮像素子を備えていない通常の交換レンズにも本発明を適用できる。また、上記実施形態において、本発明をデジタルカメラに適用した場合を例に説明したが、これに限るものではなく、デジタルビデオカメラや銀塩カメラ等に本発明を適用しても良い。
【図面の簡単な説明】
【００９２】
【図１】第１の実施形態であるカメラシステムの構成を示す斜視図である。
【図２】第１の実施形態であるカメラシステムの電気的構成を示すブロック図である。
【図３】第１の実施形態であるカメラシステムの作用を説明するフローチャートである。
【図４】第２の実施形態であるカメラシステムの電気的構成を示すブロック図である。
【図５】第２の実施形態であるカメラシステムの作用を説明するフローチャートである。
【図６】第３の実施形態であるカメラシステムの電気的構成を示すブロック図である。
【図７】第３の実施形態であるカメラシステムの作用を説明するフローチャートである。
【図８】第４の実施形態であるカメラシステムの電気的構成を示すブロック図である。
【図９】第４の実施形態であるカメラシステムの作用を説明するフローチャートである。
【符号の説明】
【００９３】
１０，６０，７０，９０  カメラシステム
１１，６１，７１，９１  カメラ本体
１２，６２，７２，９２  レンズユニット
１３  コンバージョンレンズ
３０  本体制御部
３３  ＬＣＤ
３８，４５，８４  送受信部
４０  ユニット制御部
４３，７９  タグリーダ
４４，６６，８０  判定部
５０，６５，６８，７５，９５  ＩＣタグ
６３  ストロボユニット
７３，９３  手ぶれ補正ユニット
【図１】
2007003646.tif 000003
【図２】
2007003646.tif 000004
【図３】
2007003646.tif 000005
【図４】
2007003646.tif 000006
【図５】
2007003646.tif 000007
【図６】
2007003646.tif 000008
【図７】
2007003646.tif 000009
【図８】
2007003646.tif 000010
【図９】
2007003646.tif 000011